(57)【特許請求の範囲】
【請求項１】
回線の閉結中に交換機側から送られる発呼側装置の電話番号を受信可能な受信手段を備えた電話装置において、
電話番号に優先度を示す情報を対応つけて記憶する記憶手段と、
１の電話装置との回線の閉結中に、新たに他の電話装置から着呼があった場合、１の電話装置の電話番号と前記受信手段により受信された他の電話装置の電話番号とに基づいて、前記記憶手段に記憶されている１の電話装置の情報の優先度と他の電話装置の情報の優先度とを比較する比較手段と、
その比較手段による比較の結果、他の電話装置の優先度が１の電話装置の優先度より大であると判断された場合に、回線を１の電話装置から他の電話装置へ切り替える切替手段と、
前記記憶手段に電話番号が未登録の電話装置から着呼があった場合に、その未登録の電話装置についての優先度を設定する優先度設定手段とを備えていることを特徴とする電話装置。
【請求項２】
回線の閉結中に交換機側から送られる発呼側装置の電話番号を受信可能な受信手段を備えた電話装置において、
電話番号に優先度を示す情報を対応つけて記憶する記憶手段と、
１の電話装置との回線の閉結中に、新たに他の電話装置から着呼があった場合、１の電話装置の電話番号と前記受信手段により受信された他の電話装置の電話番号とに基づいて、前記記憶手段に記憶されている１の電話装置の情報の優先度と他の電話装置の情報の優先度とを比較する比較手段と、
その比較手段による比較の結果、他の電話装置の優先度が１の電話装置の優先度より小であると判断された場合に、通話者に対する新たな着呼の報知を禁止する着呼報知禁止手段と、
前記記憶手段に電話番号が未登録の電話装置から着呼があった場合に、その未登録の電話装置についての優先度を設定する優先度設定手段とを備えていることを特徴とする電話装置。
【請求項３】
前記優先度設定手段は、使用者により予め設定され、優先度の内容を指定するためのフラグ情報を備え、そのフラグ情報に基づいて、未登録の電話装置についての優先度を決定することを特徴とする請求項１または２に記載の電話装置。
【請求項４】
前記比較手段による比較の結果、他の電話装置の優先度が１の電話装置の優先度より大であると判断された場合に、回線を１の電話装置から他の電話装置へ切り替える切替手段を備えていることを特徴とする請求項２または３に記載の電話装置。
【請求項５】
前記切替手段は、１の電話装置へ所定のメッセージを通知した後に、回線を１の電話装置から他の電話装置へ切り替えることを特徴とする請求項１または４に記載の電話装置。
【請求項６】
回線の閉結中に交換機側から送られる発呼側装置の電話番号を受信可能な受信手段を備えた電話装置において、
電話番号に３段階に分けられた優先度を示す情報を対応つけて記憶する記憶手段と、
１の電話装置との回線の閉結中に、新たに他の電話装置から着呼があった場合、１の電話装置の電話番号と前記受信手段により受信された他の電話装置の電話番号とに基づいて、前記記憶手段に記憶されている１の電話装置の情報の優先度と他の電話装置の情報の優先度とを比較する比較手段と、
その比較手段による比較の結果、他の電話装置の優先度が１の電話装置の優先度より２段階分大であると判断された場合に、回線を１の電話装置から他の電話装置へ切り替える切替手段と、
前記比較手段による比較の結果、他の電話装置の優先度が１の電話装置の優先度より１段階分大であると判断された場合に、１の電話装置へ新たな電話の着呼を報せるメッセージを出力する出力手段とを備えていることを特徴とする電話装置。
【請求項７】
回線を１の電話装置から他の電話装置へ切り替える切替指示を通話者が指示する指示手段と、
その指示手段を介して前記切替指示があったかを判断する判断手段とを備え、
前記切替手段は、前記判断手段の判断とは無関係に、回線を１の電話装置から他の電話装置へ切り替えることを特徴とする請求項６に記載の電話装置。
【請求項８】
前記比較手段による比較の結果、他の電話装置の優先度が１の電話装置の優先度より小であると判断された場合に、通話者に対する新たな着呼の報知を禁止する着呼報知禁止手段を備えていることを特徴とする請求項６または７に記載の電話装置。
【請求項９】
前記切替手段は、１の電話装置へ所定のメッセージを通知した後に、回線を１の電話装置から他の電話装置へ切り替えることを特徴とする請求項６から８のいずれかに記載の電話装置。
【発明の詳細な説明】
【０００１】
【発明の属する技術分野】
本発明は電話装置に関し、特に、電話回線の閉結中に交換機から送られる発呼側装置の電話番号（発信者番号）を受信することができる電話装置に関するものである。
【０００２】
【従来の技術】
通話中に他から新たな電話がかかってきた場合、簡単な操作で通話相手を切り替えることができるキャッチホンサービスが実用化されている。このキャッチホンサービスにおいて、既にアメリカでは、通話中にかけてきた発呼側装置の電話番号（発信者番号）を交換機から送信するサービスが実用化されている。電話機の中には、このサービスにより交換機から送られる発呼側装置の電話番号を受信して、通話中に、その受信した発呼側装置の電話番号を電話機の表示器（例えば、液晶ディスプレイ（ＬＣＤ））へ表示する、いわゆるコール・ウエイティング・コーラーＩＤ機能を備えたものがある。この機能を備えた電話機では、ＬＣＤの表示内容を見ることにより、新たにかけてきた発信者を確認することができる。よって、通話中に新たな電話がかかってくると、通話者は、ＬＣＤの表示内容を確認して、通話中の電話を新たな電話に切り替えるべきか否かを判断し、切り替えると判断した場合には、所定の操作を行って、電話を切り替えるようになっている。
【０００３】
【発明が解決しようとする課題】
しかしながら、切り替えるべきか否かの判断は、通話を続けながら、しかも、通話中の相手と新たな発信者との重要度の関係を考慮しながら行わなければならず、その判断にどうしても手間を要してしまう。また、実際に電話を切り替えるためには、「切り替える」と判断した後、更に所定の操作を行わなければならない。このため新たな電話が警備会社などからの緊急な連絡であっても、電話を切り替えるためには上記手順を行わなければならないので、即座に電話を切り替えることができないという問題点があった。
【０００４】
一方、通話中における新たな電話の着呼は、通話者に電話を切り替えるか否かの判断を常に強いてしまう。このため新たな電話が間違い電話やファクシミリ装置等からの着呼であって、切り替える必要のない電話であっても、通話者は切り替えるか否かの判断を強いられてしまう。よって、このような電話が重要な相手との通話中に着呼すると、その電話の着呼によって、通話者は電話を切り替えるか否かの判断に煩わされてしまうという問題点があった。
【０００５】
本発明は上述した問題点を解決するためになされたものであり、通話中の電話の優先度と新たに着呼のあった電話の優先度とに応じて、通話中の電話を即座に切り替えたり、或いは、新たな着呼の報知を禁止することができる電話装置を提供することを目的としている。
【０００６】
【課題を解決するための手段】
この目的を達成するために請求項１記載の電話装置は、回線の閉結中に交換機側から送られる発呼側装置の電話番号を受信可能な受信手段を備えており、更に、電話番号に優先度を示す情報を対応つけて記憶する記憶手段と、１の電話装置との回線の閉結中に、新たに他の電話装置から着呼があった場合、１の電話装置の電話番号と前記受信手段により受信された他の電話装置の電話番号とに基づいて、前記記憶手段に記憶されている１の電話装置の情報の優先度と他の電話装置の情報の優先度とを比較する比較手段と、その比較手段による比較の結果、他の電話装置の優先度が１の電話装置の優先度より大であると判断された場合に、回線を１の電話装置から他の電話装置へ切り替える切替手段と、前記記憶手段に電話番号が未登録の電話装置から着呼があった場合に、その未登録の電話装置についての優先度を設定する優先度設定手段とを備えている。
【０００７】
この請求項１記載の電話装置によれば、１の電話装置との回線の閉結中に新たに他の電話装置から着呼があると、通話中の１の電話装置の電話番号と受信手段により受信された他の電話装置の電話番号とに基づいて、記憶手段に記憶されている両電話装置の優先度を示す情報がそれぞれ参照される。これらの優先度を示す情報は、比較手段によって比較され、その結果、新たに着呼のあった他の電話装置の優先度が、通話中の１の電話装置の優先度より大であれば、切替手段によって、回線が１の電話装置から他の電話装置へ切り替えられる。
【０００８】
請求項２記載の電話装置は、回線の閉結中に交換機側から送られる発呼側装置の電話番号を受信可能な受信手段を備えており、更に、電話番号に優先度を示す情報を対応つけて記憶する記憶手段と、１の電話装置との回線の閉結中に、新たに他の電話装置から着呼があった場合、１の電話装置の電話番号と前記受信手段により受信された他の電話装置の電話番号とに基づいて、前記記憶手段に記憶されている１の電話装置の情報の優先度と他の電話装置の情報の優先度とを比較する比較手段と、その比較手段による比較の結果、他の電話装置の優先度が１の電話装置の優先度より小であると判断された場合に、通話者に対する新たな着呼の報知を禁止する着呼報知禁止手段と、前記記憶手段に電話番号が未登録の電話装置から着呼があった場合に、その未登録の電話装置についての優先度を設定する優先度設定手段とを備えている。
【０００９】
この請求項２記載の電話装置によれば、１の電話装置との回線の閉結中に新たに他の電話装置から着呼があると、通話中の１の電話装置の電話番号と受信手段により受信された他の電話装置の電話番号とに基づいて、記憶手段に記憶されている両電話装置の優先度を示す情報がそれぞれ参照される。これらの優先度を示す情報は、比較手段によって比較され、その結果、新たに着呼のあった他の電話装置の優先度が、通話中の１の電話装置の優先度より小であれば、着呼報知禁止手段によって、通話者に対する新たな着呼の報知が禁止される。
【００１０】
請求項３記載の電話装置は、請求項１または２に記載の電話装置において、前記優先度設定手段は、使用者により予め設定され、優先度の内容を指定するためのフラグ情報を備え、そのフラグ情報に基づいて、未登録の電話装置についての優先度を決定する。
【００１１】
請求項４記載の電話装置は、請求項２または３に記載の電話装置において、前記比較手段による比較の結果、他の電話装置の優先度が１の電話装置の優先度より大であると判断された場合に、回線を１の電話装置から他の電話装置へ切り替える切替手段を備えている。
請求項５記載の電話装置は、請求項１または４に記載の電話装置において、前記切替手段は、１の電話装置へ所定のメッセージを通知した後に、回線を１の電話装置から他の電話装置へ切り替えるものである。
請求項６記載の電話装置は、回線の閉結中に交換機側から送られる発呼側装置の電話番号を受信可能な受信手段を備えており、更に、電話番号に３段階に分けられた優先度を示す情報を対応つけて記憶する記憶手段と、１の電話装置との回線の閉結中に、新たに他の電話装置から着呼があった場合、１の電話装置の電話番号と前記受信手段により受信された他の電話装置の電話番号とに基づいて、前記記憶手段に記憶されている１の電話装置の情報の優先度と他の電話装置の情報の優先度とを比較する比較手段と、その比較手段による比較の結果、他の電話装置の優先度が１の電話装置の優先度より２段階分大であると判断された場合に、回線を１の電話装置から他の電話装置へ切り替える切替手段と、前記比較手段による比較の結果、他の電話装置の優先度が１の電話装置の優先度より１段階分大であると判断された場合に、１の電話装置へ新たな電話の着呼を報せるメッセージを出力する出力手段とを備えている。
請求項７記載の電話装置は、請求項６記載の電話装置において、回線を１の電話装置から他の電話装置へ切り替える切替指示を通話者が指示する指示手段と、その指示手段を介して前記切替指示があったかを判断する判断手段とを備え、前記切替手段は、前記判断手段の判断とは無関係に、回線を１の電話装置から他の電話装置へ切り替える。
請求項８記載の電話装置は、請求項６または７に記載の電話装置において、前記比較手段による比較の結果、他の電話装置の優先度が１の電話装置の優先度より小であると判断された場合に、通話者に対する新たな着呼の報知を禁止する着呼報知禁止手段を備えている。
請求項９記載の電話装置は、請求項６から８のいずれかに記載の電話装置において、前記切替手段は、１の電話装置へ所定のメッセージを通知した後に、回線を１の電話装置から他の電話装置へ切り替える。
【００１２】
【発明の実施の形態】
以下、本発明の好ましい実施例について、添付図面を参照して説明する。図１は、本発明の一実施例であるファクシミリ装置１の外観斜視図である。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。本体２の上面前部には複数のボタン４ａを備えた操作パネル４が設けられ、そのボタン４ａの左上端部には、電話回線を通話中の電話装置から他の電話装置へ切り替えるための切り替えボタン４ｂが設けられている。操作パネル４の左後部には液晶表示器（ＬＣＤ）５が設けられている。ファクシミリ装置１は、操作パネル４上に設けられた各ボタン４ａが押下されることによって操作されると共に、その操作状態や操作手順などがＬＣＤ５に表示される。
【００１３】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印字に使用された記録紙は、原稿排出口７の下方に設けられた記録紙排出口８から排出される。本体２の一側面には、新たな電話の着呼があった場合の呼び出し音の鳴動や、所定のメッセージを音声出力するためのスピーカ２８が設けられている。
【００１４】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、アンプ２７が備えられ、これらはバスライン３０を介して相互に接続されている。
【００１５】
ＮＣＵ１９は回線制御を行うためのものであり、ファクシミリ装置１はこのＮＣＵ１９を介して電話回線３１に接続されている。ＮＣＵ１９は、交換機２９から送信される呼び出し信号や発呼側装置（電話装置）の電話番号（発信者番号）等を受信するとともに、操作パネル４上に設けられているボタン４ａ操作に応じた発信時のダイヤル信号を交換機２９へ送信したり、更には通話時におけるアナログ音声信号の送受信を行うものである。
【００１６】
ＣＰＵ１１は、ＮＣＵ１９を介して送受信される各種信号に従って、バスライン３０に接続された各部を制御してファクシミリ動作や電話動作、即ち、データ通信を実行するものである。ＲＯＭ１２は、このファクシミリ装置１で実行される制御プログラムなどを格納した書換不能なメモリであり、図５および図６のフローチャートに示す各プログラムはこのＲＯＭ１２内に格納されている。ＥＥＰＲＯＭ１３は書換可能な不揮発性のメモリであり、電話番号メモリ１３ａとお店モードフラグ１３ｂとを備えている。電話番号メモリ１３ａは、予め、電話装置の電話番号（発信者番号）と、その電話装置の電話番号に対応する優先度とを互いに対応つけて記憶するメモリであり、図３に、その構成が模式的に図示されている。
【００１７】
図３に示すように、電話番号メモリ１３ａには、電話装置の電話番号を記憶する発信者番号エリア１３ｃと、電話装置の優先度を記憶する優先度エリア１３ｄとが設けられている。優先度エリア１３ｄに記憶される優先度は、低、中、高の３段階により構成されており、発信者番号エリア１３ｃに記憶されている各電話番号には、これら３段階の優先度のうち、いずれか１つがそれぞれ対応付けて記憶されている。１の電話装置との通話中に、新たに他の電話装置から着呼（呼び出し信号の着信）があると、優先度エリア１３ｄに記憶される優先度が、通話中の電話装置と新たに着呼のあった電話装置との間で比較される。比較の結果、優先度の組み合わせに応じて、図４に示すように、各内容の処理がそれぞれ実行される。
【００１８】
図４に示すように、通話中の相手側装置の優先度と新たな発呼側装置の優先度との組み合わせは全部で９通りであり（４１〜４９）、これらには４種類の内容の処理が割り当てられている。具体的に、通話中の相手側装置の優先度が「低」、新たな発呼側装置の優先度が「高」である場合には（４１）、電話回線の自動切り替え処理が行われる。例えば、新たに着呼のあった電話が警備会社や警察等の緊急を有する電話である場合、この電話回線の自動切り替え処理を行えば、即座に電話回線を切り替えて緊急な電話を受けることができるのである。また、通話中の電話がパソコン通信等の常時接続状態である場合には、この電話回線の自動切り替え処理により、即座に新たな発呼者と通話することが可能となる。
【００１９】
なお、本実施例では、この自動切り替え処理の実行に先立って、例えば「緊急電話が入りましたので、この電話を切り替えます。」といったメッセージを、通話中の相手側装置および通話者へ出力するようにしているので、自動切り替え処理の実行を通話者等に認識させることができるのである。
【００２０】
通話中の相手側装置の優先度が「低」、新たな発呼側装置の優先度が「中」である場合（４２）、または、通話中の相手側装置の優先度が「中」、新たな発呼側装置の優先度が「高」である場合には（４４）、新たな着呼があることを通話者へ報せるためのメッセージの出力処理が行われる。このメッセージとしては、例えば「優先度の高い電話が着呼しました。電話を切り替えて下さい。」といったメッセージが用いられ、このメッセージにより、通話者は通話中の相手より優先度の高い相手からの着呼を認識することができるのである。なお、かかるメッセージは、本体２の一側面に設けられたスピーカ２８から音声出力されるので、通話を妨害してしまうことはない。
【００２１】
通話中の相手側装置の優先度が「低」、新たな発呼側装置の優先度が「低」である場合（４３）、通話中の相手側装置の優先度が「中」、新たな発呼側装置の優先度が「中」である場合（４５）、または、通話中の相手側装置の優先度が「高」、新たな発呼側装置の優先度が「高」である場合には（４７）、即ち、通話中の相手側装置の優先度と新たな発呼側装置の優先度とが同一である場合には、受話器３のスピーカから通話者へ新たな電話の着呼を報せる割り込み音の出力処理が行われる。これにより通話者は、通話中の相手と同レベルの優先度の相手から新たな着呼があったことを認識することができるのである。
【００２２】
通話中の相手側装置の優先度が「中」、新たな発呼側装置の優先度が「低」である場合（４６）、または、通話中の相手側装置の優先度が「高」、新たな発呼側装置の優先度が「中」若しくは「低」である場合には（４８，４９）、即ち、通話中の相手側装置の優先度が新たな発呼側装置の優先度より高い場合には、受話器３からの割り込み音の出力処理が禁止される。これにより新たな着呼の報知がすべて禁止されるのである。よって、重要な相手との通話中に、新たに優先度の低い発呼者からの着呼があっても、通話者は、新たな着呼に煩わされることなく、重要な相手との通話を続けることができるのである。なお、ＥＥＰＲＯＭ１３の電話番号メモリ１３ａの各エリア１３ｃ，１３ｄのデータは、操作者による操作パネル４上のボタン４ａ操作によって、予め互いに対応付けされて登録（記憶）されている。
【００２３】
図２におけるＥＥＰＲＯＭ１３のお店モードフラグ１３ｂは、電話番号メモリ１３ａに未登録の電話装置や、発信者番号が受信されない電話装置についての優先度を設定（決定）するためのものである。これらの電話装置の優先度は、お店モードフラグ１３ｂがオンされているときは「高」に、お店モードフラグ１３ｂがオフされているときは「低」に設定される。例えば、小売店等では、顧客からの電話は重要であるが、小口の顧客や新規の顧客の電話番号を電話番号メモリ１３ａの発信者番号エリア１３ｃに登録することはできない。よって、小売店等では、お店モードフラグ１３ｂをオンして、未登録の電話装置の優先度を「高」とするのである。一方、家庭等では、知人の電話番号は予め発信者番号エリア１３ｃに登録することができるので、未登録の電話装置の場合には、セールスか間違い電話であることが多い。よって、家庭等では、お店モードフラグ１３ｂをオフして、未登録の電話装置の優先度を「低」とするのである。なお、ＥＥＰＲＯＭ１３のお店モードフラグ１３ｂのオンオフは、操作者による操作パネル４上のボタン４ａ操作によって登録される。
【００２４】
ＲＡＭ１４はファクシミリ装置１の各動作の実行時に各種のデータを一時的に記憶するためのメモリであり、第１優先度メモリ１４ａと、第２優先度メモリ１４ｂとを備えている。第１優先度メモリ１４ａには、通話中の相手側装置の優先度が記憶される。即ち、通話中の相手側装置の電話番号に対応して優先度エリア１３ｄに記憶される優先度、または、お店モードフラグ１３ｂによって設定される優先度が記憶される。一方、第２優先度メモリ１４ｂには、新たに着呼した発呼側装置の優先度が記憶される。即ち、新たに着呼した発呼側装置の電話番号に対応して優先度エリア１３ｄに記憶される優先度、または、お店モードフラグ１３ｂによって設定される優先度が記憶されるのである。
【００２５】
画像メモリ１５は、通信履歴や、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。音声メモリ１６は、通話者へ報知されるメッセージや、発呼側装置へ送出される応答メッセージ、更には、発呼側装置から送られてきた入来メッセージを記憶するメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００２６】
音声ＬＳＩ１７は、ＮＣＵ１９によって受信されたアナログ音声信号をデジタル音声信号に変換するとともに、このファクシミリ装置１の内部で生成されたデジタル音声信号をアナログ音声信号に変換して、ＮＣＵ１９やスピーカ２８（アンプ２７）へ出力するためのものである。モデム２０は、画情報を変調および復調して伝送するとともに伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するためのものであり、復号化されたデータはプリンタ２５によって記録紙に印刷される。
【００２７】
操作パネル４は、操作者がこのファクシミリ装置１の設定等を行う場合に各種の操作を行うためのものであり、前記したように、ＥＥＰＲＯＭ１３の電話番号メモリ１３ａの各エリア１３ｃ，１３ｄのデータや、お店モードフラグ１３ｂのオンオフ状態等は、操作者の操作パネル４上のボタン４ａ操作によって登録（記憶）される。アンプ２７は、そのアンプ２７に接続されたスピーカ２８を鳴動して、呼び出し音や音声メッセージなどを出力するためのものである。
【００２８】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して他の交換機に接続されている。なお、他の交換機は、更に電話回線を介して、他の発呼側装置に接続されている。
【００２９】
次に、図５及び図６のフローチャートを参照して、上記のように構成されたファクシミリ装置１の動作について説明する。図５は、着信時における処理を示したフローチャートである。図５に示すように、まず、ファクシミリ装置１は呼び出し信号を待機し（Ｓ１：Ｎｏ）、呼び出し信号があると（Ｓ１：Ｙｅｓ）、電話回線を開放したままの状態で、発信電話番号表示サービスにより交換機２９から送信される発呼側装置（発呼者）の電話番号（発信者番号）を受信したか否かを判断する（Ｓ２）。発信者番号を受信した場合には（Ｓ２：Ｙｅｓ）、受信した発信者番号が発信者番号エリア１３ｃに記憶されているか否かを判断し（Ｓ３）、発信者番号エリア１３ｃに記憶されていれば（Ｓ３：Ｙｅｓ）、その発信者番号に対応する優先度を優先度エリア１３ｄから読み出して、第１優先度メモリ１４ａへ書き込むのである（Ｓ４）。
【００３０】
一方、本ファクシミリ装置１が発信電話番号表示サービスに加入していても、発信者が電話番号の送信を拒否している場合には、交換機２９から発信者番号は送信されないので、かかる場合には、発信者番号を受信することができない（Ｓ２：Ｎｏ）。また、発信者番号を受信しても、その受信した発信者番号が発信者番号エリア１３ｃに記憶されていない場合もある（Ｓ３：Ｎｏ）。これらの場合には（Ｓ２：Ｎｏ，Ｓ３：Ｎｏ）、お店モードフラグ１３ｂのオンオフ状態を確認して（Ｓ５）、お店モードフラグ１３ｂがオンされていれば（Ｓ５：Ｙｅｓ）、第１優先度メモリ１４ａへ「高」を書き込み（Ｓ６）、逆に、オフされていれば（Ｓ５：Ｎｏ）、第１優先度メモリ１４ａへ「低」を書き込むのである（Ｓ７）。
【００３１】
このように発信者番号を受信できない場合や（Ｓ２：Ｎｏ）、受信した発信者番号が発信者番号エリア１３ｃに記憶されていない場合には（Ｓ３：Ｎｏ）、第１優先度メモリ１４ａに記憶される優先度を、お店モードフラグ１３ｂのオンオフ状態に応じて「高」または「低」に設定するのである。小売店等のお店においては、一般に、未登録の電話装置からの着呼は顧客からの問い合わせや注文等の電話である場合が多く、一方、家庭等においては、未登録の電話装置からの着呼はセールス電話や間違い電話である場合が多い。よって、お店等では予めお店モードフラグ１３ｂを「オン」状態に設定し、家庭等では「オフ」状態に設定しておくことにより、未登録の電話装置等に対して、適切な優先度を設定することができるのである。
【００３２】
第１優先度メモリ１４ａへの優先度の書き込み後（Ｓ４，Ｓ６，Ｓ７）、スピーカ２８から呼び出し音を鳴動する（Ｓ８）。呼び出し信号が継続していれば（Ｓ９：Ｙｅｓ）、ハンドセット（受話器３）が取り上げられているか否かを確認し（Ｓ１０）、取り上げられていなければ（ハンドセットダウンの状態）（Ｓ１０：Ｎｏ）、処理をＳ８へ移行して、Ｓ８からＳ１０の処理を繰り返す。このＳ８からＳ１０の処理の実行中に、呼び出し信号が中断すれば（Ｓ９：Ｎｏ）、処理をＳ１へ移行して、次の呼び出し信号を待機する（Ｓ１）。一方、Ｓ１０の処理において、ハンドセット（受話器３）が取り上げられれば（Ｓ１０：Ｙｅｓ）、電話回線を閉結して（Ｓ１１）、電話処理を開始する（Ｓ１２）。
【００３３】
ところで、電話処理（Ｓ１２）の実行中に新たな電話の着呼があると、図６に示すキャッチホン処理が実行される。このキャッチホン処理は、通話中に新たな着呼があった場合に実行される処理である。
【００３４】
キャッチホン処理では、まず、交換機２９から送信される発信者番号（発呼側装置の電話番号）を受信したか否かを判断する（Ｓ２１）。通話者の電話装置が従来技術の欄で説明した『コール・ウエイティング・コーラーＩＤ』のサービスに加入しており、かつ、発呼側装置が電話番号の通知を拒否していない場合には、交換機２９から発信者番号が送信される。よって、かかる発信者番号を受信した場合には（Ｓ２１：Ｙｅｓ）、受信した発信者番号が発信者番号エリア１３ｃに記憶されているか否かを判断し（Ｓ２２）、発信者番号エリア１３ｃに記憶されていれば（Ｓ２２：Ｙｅｓ）、その発信者番号に対応する優先度を優先度エリア１３ｄから読み出して、第２優先度メモリ１４ｂに書き込むのである（Ｓ２３）。
【００３５】
一方、本ファクシミリ装置１が『コール・ウエイティング・コーラーＩＤ』のサービスに加入していても、発信者が電話番号の送信を拒否している場合には、交換機２９から発信者番号は送信されないので、発信者番号を受信することができない（Ｓ２１：Ｎｏ）。また、発信者番号を受信しても、受信した発信者番号が発信者番号エリア１３ｃに記憶されていない場合もある（Ｓ２２：Ｎｏ）。これらの場合には（Ｓ２１：Ｎｏ，Ｓ２２：Ｎｏ）、お店モードフラグ１３ｂのオンオフ状態を確認して（Ｓ２４）、そのお店モードフラグ１３ｂがオンされていれば（Ｓ２４：Ｙｅｓ）、第２優先度メモリ１４ｂへ「高」を書き込み（Ｓ２５）、逆に、オフされていれば（Ｓ２４：Ｎｏ）、第２優先度メモリ１４ｂへ「低」を書き込むのである（Ｓ２６）。
【００３６】
第２優先度メモリ１４ｂへの優先度の書き込み後（Ｓ２３，Ｓ２５，Ｓ２６）、Ｓ２７，Ｓ２８，Ｓ３０の各処理において、第１優先度メモリ１４ａと第２優先度メモリ１４ｂとに記憶される優先度が比較され、その比較結果に応じて、Ｓ２９またはＳ３１〜Ｓ３５の各処理がそれぞれ実行される。
【００３７】
まず、Ｓ２７の処理において、第１優先度メモリ１４ａに記憶される優先度が第２優先度メモリ１４ｂに記憶される優先度よりも高い（大きい）場合には（Ｓ２７：Ｙｅｓ）、通話中の相手側装置の優先度が新たな発呼側装置の優先度よりも高いので（図４の４６，４８，４９の場合）、この場合には、割り込み音の鳴動さえも行わずに、このキャッチホン処理を終了する。即ち、通話中の相手側装置の優先度が新たな発呼側装置の優先度よりも高い場合には、通話者に新たな着呼を報せることなく、その着呼を放置するのである。よって、優先度の高い相手側装置との通話中に優先度の低い発呼側装置からの着呼があっても、通話者は新たな着呼に煩わされることなく、通話を続けることができるのである。
【００３８】
Ｓ２７の処理において、第１優先度メモリ１４ａに記憶される優先度が第２優先度メモリ１４ｂに記憶される優先度よりも低い場合には（Ｓ２７：Ｎｏ）、第１優先度メモリ１４ａに記憶される優先度と、第２優先度メモリ１４ｂに記憶される優先度とが等しいか否か判断される（Ｓ２８）。判断の結果、両優先度が等しい場合には（図４の４３，４５，４７の場合）（Ｓ２８：Ｙｅｓ）、通話者に新たな着呼を報せるために、受話器３のスピーカから割り込み音を出力する（Ｓ２９）。この割り込み音の出力により、通話者によって切り替えボタン４ｂが押下されれば（Ｓ３２：Ｙｅｓ）、通話相手を切り替えて（Ｓ３４）、第２優先度メモリ１４ｂの内容を第１優先度メモリ１４ａに書き込み（Ｓ３５）、このキャッチホン処理を終了する。一方、割り込み音が出力されても、通話者によって切り替えボタン４ｂが押下されなければ（Ｓ３２：Ｎｏ）、通話相手を切り替えることなく、そのまま、このキャッチホン処理を終了する。
【００３９】
第１優先度メモリ１４ａに記憶される優先度が第２優先度メモリ１４ｂに記憶される優先度よりも低く（Ｓ２７：Ｎｏ）、かつ、両優先度が等しくなければ（Ｓ２８：Ｎｏ）、第１優先度メモリ１４ａに記憶される優先度が「低」で、第２優先度メモリ１４ｂに記憶される優先度が「高」であるか否かを判断する（Ｓ３０）。判断の結果、「否」である場合には（Ｓ３０：Ｎｏ）、第１優先度メモリ１４ａと第２優先度メモリ１４ｂとに記憶される優先度の組み合わせは「低、中」または「中、高」である（図４の４２，４４の場合）。よって、かかる場合には、例えば「優先度の高い電話が着呼しました。電話を切り替えて下さい。」といった新たな電話の着呼を報せるメッセージをスピーカ２８から出力して（Ｓ３１）、通話者に、通話中の相手より優先度の高い相手からの着呼を認識させ、通話相手を切り替えることを促すのである。
【００４０】
メッセージを受けた通話者によって切り替えボタン４ｂが押下されれば（Ｓ３２：Ｙｅｓ）、通話相手を切り替えて（Ｓ３４）、第２優先度メモリ１４ｂの内容を第１優先度メモリ１４ａに書き込み（Ｓ３５）、このキャッチホン処理を終了する。一方、通話者によって切り替えボタン４ｂが押下されなければ（Ｓ３２：Ｎｏ）、通話相手を切り替えることなく、そのまま、このキャッチホン処理を終了する。
【００４１】
Ｓ３０の処理において、第１優先度メモリ１４ａに記憶される優先度が「低」で、第２優先度メモリ１４ｂに記憶される優先度が「高」である場合には（図４の４１の場合）（Ｓ３０：Ｙｅｓ）、通話者の操作を待つことなく、通話中の相手側装置および通話者へ、例えば「緊急電話が入りましたので、この電話を切り替えます。」といった電話を切り替える旨のメッセージを出力し（Ｓ３３）、その後、通話相手を切り替えて（Ｓ３４）、第２優先度メモリ１４ｂの内容を第１優先度メモリ１４ａに書き込み（Ｓ３５）、このキャッチホン処理を終了する。
【００４２】
このように第１優先度メモリ１４ａの優先度が「低」で、第２優先度メモリ１４ｂの優先度が「高」である場合には（Ｓ３０：Ｙｅｓ）、通話中の相手側装置及び通話者へ電話を切り替える旨のメッセージを通知した後に、自動的に通話相手が切り替えられるので、優先度の高い電話装置から着呼があった場合に、即座に電話を切り替えることができるのである。なお、電話の自動切り替え前には、その旨が通話中の相手側装置及び通話者へ通知されるので、通話相手に状況を知らせて、電話を切り替えることができるのである。
【００４３】
図６のキャッチホン処理が終了すると、図５の電話処理（Ｓ１２）に移行する。受話器３が下ろされていなければ（ハンドセットがアップ状態であれば）（Ｓ１３：Ｎｏ）、電話処理（Ｓ１２）を繰り返し実行する。一方、受話器３が下ろされていれば（ハンドセットがダウン状態であれば）（Ｓ１３：Ｙｅｓ）、電話回線を開放し（Ｓ１４）、処理をＳ１へ移行して、次の呼び出し信号を待機するのである。
【００４４】
なお、請求項１または２に記載の比較手段としては、Ｓ２７、Ｓ２８及びＳ３０の処理が、請求項１、４または５に記載の切替手段としては、Ｓ３３及びＳ３４の処理が、請求項２記載の着呼報知禁止手段としては、Ｓ２７のＹｅｓの分岐処理が、それぞれ該当する。
【００４５】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４６】
例えば、上記実施例において、Ｓ３１およびＳ３３の処理における通話者へのメッセージの出力（通知）は、本体２の一側面に設けられたスピーカ２８から音声により出力された。しかし、かかる通話者への音声によるメッセージ出力に代えて、所定のメッセージをＬＣＤ５へ表示したり、或いは、ＬＥＤを点灯若しくは点滅したりして、通話者へ通知するようにしても良い。
【００４７】
また、本実施例では、図５のフローチャートに示すように、通話中の相手側装置としては、本ファクシミリ装置１への発呼側装置を例にして説明した。しかし、本ファクシミリ装置１の発呼先装置を通話中の相手側装置として用いることも当然に可能である。この場合には、発呼先の電話番号が発信者番号エリア１３ｃに記憶されていれば、その電話番号に対応して優先度エリア１３ｄに記憶されている優先度を第１優先度メモリ１４ａに書き込み、一方、発呼先の電話番号が発信者番号エリア１３ｃに記憶されていなければ、お店モードフラグ１３ｂのオンオフ状態によって、「高」または「低」の優先度を第１優先度メモリ１４ａに書き込むのである。
【００４８】
【発明の効果】
請求項１記載の電話装置によれば、１の電話装置との回線の閉結中に新たに他の電話装置から着呼があった場合、１の電話装置と新たに着呼のあった他の電話装置との優先度が比較される。新たに着呼のあった他の電話装置の優先度が通話中の１の電話装置の優先度より大であれば、回線が１の電話装置から他の電話装置へ自動的に切り替えられる。よって、優先度の低い電話装置との通話中に、新たに優先度の高い電話装置からの着呼があった場合、回線を即座に切り替えることができるという効果がある。
【００４９】
請求項２記載の電話装置によれば、１の電話装置との回線の閉結中に新たに他の電話装置から着呼があった場合、１の電話装置と新たに着呼のあった他の電話装置との優先度が比較される。新たに着呼のあった他の電話装置の優先度が通話中の１の電話装置の優先度より小であれば、新たな着呼の報知が禁止される。よって、優先度の高い電話装置との通話中に、新たに優先度の低い電話装置からの着呼があっても、通話者は新たな着呼に煩わされることなく、通話を続けることができるという効果がある。
【００５０】
請求項４記載の電話装置によれば、請求項２または３に記載の電話装置の奏する効果に加え、更に、新たに着呼のあった他の電話装置の優先度が通話中の１の電話装置の優先度より大であれば、回線が１の電話装置から他の電話装置へ自動的に切り替えられる。よって、優先度の低い電話装置との通話中に、新たに優先度の高い電話装置からの着呼があった場合、回線を即座に切り替えることができるという効果がある。
【００５１】
請求項５記載の電話装置によれば、請求項１または４に記載の電話装置の奏する効果に加え、回線は、１の電話装置へ所定のメッセージを通知した後に、その１の電話装置から他の電話装置へ切り替えられる。よって、かかる所定のメッセージにより、１の電話装置の通話者に状況を知らせて、不快感を与えることなく、回線を自動的に切り替えることができるという効果がある。
【図面の簡単な説明】
【図１】  本発明の一実施例であるファクシミリ装置の斜視図である。
【図２】  上記ファクシミリ装置の電気的構成を示したブロック図である。
【図３】  ＥＥＰＲＯＭ内の電話番号メモリの構成を模式的に示した図である。
【図４】  優先度の比較結果による処理内容を示した図である。
【図５】  着信時の処理を示したフローチャートである。
【図６】  キャッチホン処理を示したフローチャートである。
【符号の説明】
１          ファクシミリ装置（電話装置）
３          受話器
１３        ＥＥＰＲＯＭ
１３ａ      電話番号メモリ（記憶手段）
１３ｂ      お店モードフラグ
１３ｃ      発信者番号エリア
１３ｄ      優先度エリア
１４        ＲＡＭ
１４ａ      第１優先度メモリ
１４ｂ      第２優先度メモリ
１９        ネットワークコントロールユニット（ＮＣＵ）（受信手段の一部）
２０        モデム（受信手段の一部）
２１        バッファ（受信手段の一部）
２８        スピーカ
２９        交換機
３１，３２  電話回線（回線）
【図１】
0003894247.tif 000002
【図２】
0003894247.tif 000003
【図３】
0003894247.tif 000004
【図４】
0003894247.tif 000005
【図５】
0003894247.tif 000006
【図６】
0003894247.tif 000007